(57)【要約】【課題】金属フレームやメッシュ部材などをによって構成されたＬ型擁壁において、土留めされた境界位置のずれを防止するとともに、法面の撓みを防止して、土砂の崩落などを防止する。【解決手段】法面側に設けられる格子状の土留め部２と、該土留め部２に対してほぼ直角に設けられ、上面に土砂を堆積させる埋設部３とを設けてなるＬ型擁壁１において、前記土留め部２と埋設部３との間に斜めに補助筋４を架け渡し、該補助筋４の下端に設けられた第二アンカー部４１を地面内に食い込ませる。そして、この補助筋４を、土留め部２と埋設部３に対して着脱可能に構成し、地面の固い場所などを避けて第二アンカー部４１を地面中に打ち込む。また、埋設部３の後端側にはアンカー部３０が設けられ、このアンカー部３０でＬ型擁壁１全体の前後左右方向の位置ずれを防止し、また、第二アンカー部４１で土留め部２の撓みを防止する。【選択図】図１
2006249730.tif 000002
【特許請求の範囲】
【請求項１】
法面側に設けられる格子状の土留め部と、該土留め部に対してほぼ直角に設けられ、上面に土砂を堆積させる埋設部とを設けてなるＬ型擁壁において、
前記土留め部と埋設部との間に斜めに架け渡される補助筋の下端にアンカー部を設け、該補助筋のアンカー部を地面内に食い込ませるようにしたことを特徴とするＬ型擁壁。
【請求項２】
前記補助筋が、土留め部と埋設部とに着脱可能に構成されるものである請求項１に記載のＬ型擁壁。
【請求項３】
前記補助筋が、土留め部と埋設部の長手方向に沿った任意の位置に取り付けられるものである請求項１に記載のＬ型擁壁。
【請求項４】
前記補助筋の上端側に屈曲したフック部を設け、当該フック部を土留め部に支持されたメッシュ部材に通し込むようにした請求項１に記載のＬ型擁壁。
【発明の詳細な説明】
【技術分野】
【０００１】
本発明は、畦道や農道の有効利用や、個人住宅の境界部分の有効利用に最適なＬ型擁壁に関するものである。
【背景技術】
【０００２】
従来、畦道や鉄道敷きの工事を行う場合に、土留めの擁壁を構築することが多く行われている。この土留めの擁壁に関しては、鉄筋コンクリート製のＬ型擁壁を用いる方法や、鉄製の矢板を打ち込む方法、或いは、板状に形成されたコンクリート壁板を並べる方法などが行なわれていた。
【０００３】
しかしながら、このようなコンクリート製の擁壁を用いる土留め工法にあっては、境界面を掘削し、捨てコンクリートなどで基礎を固め、配筋、型枠の形成、生コンクリートを注入するなどの工程が必要であり、更に、大量の擁壁を運搬する場合には、非常に手間がかかるという問題点があった。更には、コンクリートは、廃棄処分をする際に困難性を伴い、近年コンクリート公害として議論されている。
【０００４】
一方、矢板などを打ち込む土留工法にあっては、杭打機などの重機が必要で、また、杭打機を用いない場合には、地中を深く掘削して矢板を埋設しなければならず、大掛かりな工事となって経済的でなかった。
【０００５】
加えて、これらコンクリートや矢板を用いる土留工法は、境界面がコンクリート擁壁や鉄板で遮蔽されるため、擁壁で留められた土砂などに浸透した雨水が、低地に流れようにもその擁壁などで遮断されてしまい、十分に排出されない。
【０００６】
もちろん、排水パイプを擁壁内に設けることも可能であるが、次第に目詰まりを起こしたり、また、大雨が降った際には、円滑に雨水が高地から低地に排出され難く、擁壁などがひび割れしたり崩れたりするという問題点があった。また、このような擁壁を構築すると、その擁壁面、即ち、境界面に植物が生育せず、且つ昆虫などの動物も繁殖しないから、自然景観を損ね、また、生態系にも影響を及ぼす。
【０００７】
一方、近年では、かかる問題に鑑みて格子状の金属フレームやメッシュ部材などを用いるようにしたＬ型擁壁が提案されている。この金属フレームなどを用いたＬ型擁壁としては、例えば、下記の特許文献１や特許文献２に記載されるようなものが存在している。
【０００８】
この特許文献１に記載されるＬ型擁壁は、法面の傾斜角度を任意に設定できるようにするとともに、擁壁を構築する際の作業性を向上させることを主たる目的とするもので、法面側と水平面側とそれぞれ分離独立した格子状の金網で構成し、それぞれの一端辺側をシャフトでヒンジ結合し、更に、その法面側の金網の上端と水平面側の金網の後端とを斜めの補助筋で連結するようにしたものである。
【０００９】
また、特許文献２に記載されるＬ型擁壁は、略Ｌ字状に屈曲させた格子状の金属フレームを設け、その法面側の壁面に金網などのメッシュ部材を取り付けるととともに、金属フレームの上端と水平面側の後端とを、長さ調節可能な斜めの補助筋で連結するようにしたものである。
【００１０】
これらの擁壁は、ともに格子状の金属フレームやメッシュ部材など構成されるものであるため、上述のようなコンクリート製の擁壁や矢板などに比べて、施工や運搬に手間がかからず、しかも、製造コストも低く抑えることができるという利点を有する。また、法面側が格子状に構成されているため、その開口部分に植物を植生させることができ、環境的にも優しいものとすることができ、更には、その開口部分から雨水などを排出することができるため、上述のようなコンクリート製擁壁などのようなひび割れを生ずる心配もない。
【特許文献１】特開平８−２４６４５７号公報
【特許文献２】特開２００４−４４２４１号公報
【発明の開示】
【発明が解決しようとする課題】
【００１１】
しかしながら、このような格子状の金属フレームやメッシュ部材を用いた擁壁に関しては、次のような問題点を有する。すなわち、金属フレームやメッシュ部材を用いると、擁壁自体が比較的軽量に構成されるため、土留めの境界位置が前後左右にずれてしまう可能性がある。また、堆積された土砂が大型トラックの走行などによって法面側へずれた場合、法面側の金属フレームや金網が前方へ撓んでしまい、土砂が崩落する可能性もある。
【００１２】
そこで、本発明は、上記の課題に鑑みてなされたものであり、格子状の金属フレームやメッシュ部材などによって構成されたＬ型擁壁において、土留めされた境界位置のずれを防止し、且つ、法面の撓みを防止して、土砂の崩落などを防止できるようにすることを目的とするものである。
【課題を解決するための手段】
【００１３】
すなわち、本発明は、上記課題を解決するためになされたもので、法面側に設けられる格子状の土留め部と、該土留め部に対してほぼ直角に設けられ、上面に土砂を堆積させる埋設部とを設けてなるＬ型擁壁において、前記土留め部と埋設部との間に斜めに架け渡される補助筋の下端にアンカー部を設け、該補助筋のアンカー部を地面内に食い込ませるようにしたものである。
【００１４】
このように構成すれば、Ｌ字状に構成された金属フレームが比較的軽量に構成される場合であっても、補助筋の下端に設けられたアンカー部を地面に食い込ませることによって前方への位置ずれを防止することができ、しかも、その補助筋の上端側が法面側に取り付けられているため、仮に、大型トラックの走行などによって土砂が前方にずれてきたとしても、法面側の撓みを防止することができる。また、法面側を格子状としているため、法面側に植物や昆虫などを植生させることができ、非常に環境に優しいものとすることができる。更には、格子状の開口部から雨水を排出することができるため、畦道などにおける水捌けを良くし、また、土留めされた土砂の重みを軽減することによって、法面側へかかる荷重も低減させることができるようになる。
【００１５】
また、このような発明において、好ましくは、補助筋を土留め部と埋設部に対して着脱できるように構成する。
【００１６】
このように構成すれば、補助筋を取り外した状態では略Ｌ字状となるため、略Ｌ字状に構成された土留め部と埋設部をそれぞれ密着させて積層することによって、運搬効率を向上させることができるようになる。
【００１７】
そして、この補助筋を、土留め部と埋設部の長手方向に沿った任意の位置に取り付けられるようにする。
【００１８】
このように構成すれば、例えば、硬い地盤が随所に存在するような地面に擁壁を設置する際、そのような硬い部分を避けて補助筋のアンカー部を食い込ませることができるため、場所を選ばずに擁壁を設置することができるようになる。しかも、任意の位置に補助筋を取り付けられるので、随時、補助筋の本数を増やすことによって位置ずれの防止や法面側の撓みを補強することなどができるようになる。
【００１９】
更には、この補助筋の上端側に屈曲したフック部を設け、このフック部を土留め部に支持されたメッシュ部材に通し込むようにする。
【００２０】
一般に、メッシュ部材を取り付ける場合、土留め部にメッシュ部材を張り合わせるように針金を間欠的に取り付けているが、このような針金が存在しない場所であっても、実際の施工の段階において、補助筋のフック部を用いてメッシュ部材を固定することができるようになる。
【発明の効果】
【００２１】
本発明によれば、法面側に設けられる格子状の土留め部と、該土留め部に対してほぼ直角に設けられ、上面に土砂を堆積させる埋設部とを設けてなるＬ型擁壁において、前記土留め部と埋設部との間に斜めに架け渡される補助筋の下端にアンカー部を設け、該補助筋のアンカー部を地面内に食い込ませるようにしたので、Ｌ字状に構成された金属フレームが比較的軽量に構成される場合であっても、補助筋の下端に設けられたアンカー部を地面に食い込ませることによって前方への位置ずれを防止することができる。しかも、その補助筋の上端側が法面側に取り付けられているため、仮に、大型トラックの走行などによって土砂が前方にずれてきても、法面側の撓みを防止することができ、土砂の崩落などを防止することができる。また、法面側が格子状となっているため、法面に植物や昆虫などを植生させることができ、非常に環境に優しい擁壁とすることができる。更には、格子状の開口部から雨水を排出することができるため、畦道などにおける水捌けを良くし、また、土留めされた土砂の重みが軽減されるので、法面側へかかる荷重も低減させることができるようになる。
【発明を実施するための最良の形態】
【００２２】
以下、本発明に係る土留工法の実施形態について図面を参照しながら説明する。図１は、本発明の一実施の形態におけるＬ型擁壁１の外観斜視図を示したものであり、図２は、そのＬ型擁壁１の補助筋４の取り付け方法を示したものである。また、図３は、Ｌ型擁壁１を用いて土留めを行った状態図を示したものである。
【００２３】
この実施の形態におけるＬ型擁壁１は、比較的法面の低い法面（例えば、３０ｃｍ〜６０ｃｍ）を構築するもので、図３に示すように、下面が地面７ｄに設置可能で、且つ上面に土砂７ｕが被せられて地中に埋設される埋設部３と、該埋設部３に略垂直に立設され、且つ被せられた土砂７ｕの崩落を防止する土留め部２と、該土留め部２と埋設部３とを斜め方向に連結する補助筋４とを設けて構成される。
【００２４】
更に詳しくは、Ｌ型擁壁１の埋設部３と土留め部２は、金属フレームからなる長状体２１、３１（埋設部３側の長状体を３１とする）を縦横に交差させて固着することにより格子状に形成された矩形面状体からなり、該矩形面状体を略直角に屈曲させて略Ｌ字状に形成することにより、土留め部２を埋設部３に立設させる形状に形成されている（尚、図１に於いては、便宜上、縦横の長状体の一部を省略している）。このように、土留め部２が格子状に構成されているため、土留め部２の格子状の長状体２１の間には、複数の開口部２０が形成される。この土留め部２は、例えば、１ｍ以下に設定され、このような寸法に設定することにより、持ち運びを簡単にすることができ、経済的にも低コストなものにすることができる。しかも、擁壁の高さが１ｍ以下であれば役所への届出が不要なため、個人が簡単に擁壁を構築することができる。
【００２５】
さらに、埋設部３の端部には、下方に突出されたアンカー部３０が複数箇所に設けられる。このアンカー部３０は、前後方向に設けられた複数の長状体３１の端部を直角下方に屈曲させ、これを地面７ｄに食い込ませることによって該埋設部３の前後左右への位置ずれ防止する。なお、この実施の形態では、土砂７ｕが堆積される側を後方とし、法面が形成される側を前方として説明する。
【００２６】
また、前記土留め部２の内側（内側とは、埋設部３が設けられた側を指す）には、メッシュ部材５であるネットが張設されている（尚、図１に於いては、便宜上、ネットの一部を省略している）。
【００２７】
かかるメッシュ部材５は、金網、合成樹脂製の網状体、麻布などのように土砂７ｕの流出をある程度防止可能で、且つ、通水可能なものを用いればよい。さらに、メッシュ部材５は、土留め部２の内側に針金などの結束線６によって間欠的に縫着される。また、このメッシュ部材５は、結束線６によって逢着するのではなく、長状体２１に溶着するようにしても良く、もしくは、単に土留め部２の内側に添えておいて、土圧で土留め部２側に押し付けるようにしてもよい。
【００２８】
補助筋４は、Ｌ型擁壁１の土留め部２と埋設部３とを斜めに連結する金属製の棒状の部材で構成されるもので、土留め部２の上端の水平な長状体２１と埋設部３の後端の水平な長状体３１を連結し、これにより土留め部２の前方への撓みを防止する。この補助筋４の上端側には、補助筋４の端部をＵターンさせたフック部４０を設けており、このフック部４０を土留め部２の左右方向の長状体２１に掛止するとともに、その内側に設けられたメッシュ部材５の小さな開口部５０にも通し込んで掛止する。なお、この補助筋４の掛止場所については、土留め部２の上端の長状体２１に限らず、中段部分であってもよい。この場合、あらかじめ長さの異なる補助筋４を用意しておき、中腹となる適所にその補助筋４を掛止させる。
【００２９】
一方、該補助筋４の下端側は、Ｌ字状に直角に屈曲させた第二アンカー部４１が設けられ、これを埋設部３の後端の左右方向の長状体３１に掛止させる。この掛止によって、埋設部３の下面側に第二アンカー部４１が突出するようになり、この第二アンカー部４１によってもＬ型擁壁１の前後左右への位置ずれを防止する。このように構成された補助筋４は、埋設部３の前後方向の長状体３１と重なり合わない任意の位置に取り付けられる。この取り付け位置としては、一般的には、等間隔で間欠的に取り付けるのが好ましいが、例えば、前方への位置ずれや撓み防止を強化するべき場所が存在すれば、その場所に集中的に配置する。もちろん、地面７ｄに大きな石などが存在して第二アンカー部４１を地面７ｄに食い込ませることができない場所が存在すれば、その場所を避けて補助筋４を取り付ける。
【００３０】
次に、本実施の形態におけるＬ型擁壁１を用いた土留工法について手順を追って説明する。一般に、畦道に歩道や道路を確保したり、山などの傾斜地に道路を確保したり、丘陵地に平坦地を確保する場合などにおいては、切土または盛土などをして平坦な高地と低地とを確保するが、その高地と低地の境界面は、高地の土砂７ｕの崩落を防止するため高地から低地へと傾斜した傾斜面としている。かかる傾斜面のスペースは、高地または低地の何れでもなく、従って、道路などとして有効利用されていないスペースである。
【００３１】
まず、かかる傾斜面を形成している土砂７ｕを掘削してＬ型擁壁１の埋設部３を設置するための平坦な地面７ｄを形成し、且つ、高地と低地との間に略垂直な境界面を形成する。該境界面に沿ってＬ型擁壁１を、その埋設部３を地面７ｄ上に載置して設置する。
【００３２】
この際、埋設部３のアンカー部３０を足などで踏み付けて地面７ｄ内に食い込ませ、このアンカー部３０によって埋設部３を地面７ｄに係止し、前後左右への位置ずれを起こすことなく埋設部３を確実に固定する。
【００３３】
そして、次に補助筋４を取り付けるべく、その補助筋４の第二アンカー部４１を硬い地面部分を避けて、補助筋４を土留め部２に掛止させる。この際、土留め部２の左右方向の最上段における長状体２１に補助筋４のフック部４０を掛止させるとともに、その土留め部２の内側（土砂７ｕが堆積される側）に設けられたメッシュ部材５の開口部５０にもフック部４０を掛止させる。そして、該補助筋４を回転させて、他端側である第二アンカー部４１を埋設部３の最後端の長状体３１に掛止させ、その第二アンカー部４１を地面７ｄ内に食い込ませる。このとき、埋設部３のアンカー部３０は地面７ｄに対して直角に打ち込まれるとともに、また、補助筋４の第二アンカー部４１は、それよりも前方側へ向くように打ち込まれることになる。そして、この状態で、埋設部３に土砂７ｕを堆積して行く。
【００３４】
これにより、堆積された土砂７ｕが新たな高地となり、且つ、土留め部２の前方側が高地と低地を区分けする新たな境界面となって高地の幅が拡がる。そして、土留め部２が前方向に作用する土砂７ｕの土圧を受け止めて土砂７ｕの崩落を防止する
【００３５】
このように本実施の形態によれば、Ｌ字状に屈曲して設けられた土留め部２と埋設部３との間に、下端側が地面７ｄに埋設されるような第二アンカー部４１を有する補助筋４を斜めに架け渡すようにしたので、Ｌ型擁壁１自体が比較的軽量に構成されている場合であっても、その第二アンカー部４１によって前後左右へのずれを防止することができるようになる。しかも、その補助筋４の上端側が土留め部２の長状体２１に取り付けられているため、仮に、高地の上を大型トラックなどが通過してその土圧によって土砂７ｕが前方にずれてきたとしても、埋設部３のアンカー部３０によって土留め部２の前方へのずれを防止するとともに、補助筋４の第二アンカー部４１によって土留め部２の撓みを防止することができるようになる。特に、第二アンカー部４１の打ち込み角度は埋設部３のアンカー部３０よりも前方に向いているため、仮に、土砂７ｕが前方にずれてきて埋設部３のアンカー部３０が開いてしまった場合であっても、更に屈曲している第二アンカー部４１によって前方への位置ずれを防止することができるようになる。
【００３６】
また、土留め部２の長状体２１やメッシュ部材５などに開口部２０、５０を設けるようにしているため、その土留め部２の境界面に植物などを植生させることができ、非常に環境に優しい構造とすることができる。
【００３７】
更には、土留め部２に設けられたメッシュ部材５の開口部５０で土砂７ｕを保持するとともに、その開口部５０に植生した植物の根などによって更に網目を細かくし、これによって土砂７ｕの流出を防止するとともに、雨水だけを外部へ排出することができるので、高地の水分を減らすことができ、畦道などにおける水捌けを良くすることができる。更には、水の排出によって土砂７ｕの重みが軽減されるので、法面側へ作用する土圧も低減させることができるようになる。
【００３８】
また、このＬ型擁壁１では補助筋４を土留め部２や埋設部３に対して着脱できるようにしたので、運搬時には、その補助筋４を取り外して土留め部２と埋設部３をＬ字状に密着させて積層させることができ、運搬効率を向上させることができるようになる。
【００３９】
更には、この補助筋４を、土留め部２と埋設部３の任意の位置に取り付けられるようにしているので、硬い地盤を有する場所を避けて第二アンカー部４１を食い込ませて補助筋４を取り付けることができ、また、適宜補助筋４の数を適宜増やすことによって土留め部２の撓みを補強や、前方への位置ずれなどを防止することができるようになる。
【００４０】
加えて、この補助筋４の上端側をフック部４０とし、このフック部４０を土留め部２の長状体２１とメッシュ部材５に通し込むようにしたので、この補助筋４を用いてもメッシュ部材５を長状体２１に固定させることができるようになる。
【００４１】
なお、本発明は上記実施の形態に限定されるものではなく、種々の態様で実施することができる。
【００４２】
例えば、上記実施の形態では、埋設部３の後端側にアンカー部３０を設けるようにしているが、このようなアンカー部３０を設けることなく、補助筋４の第二アンカー部４１によってのみ前方への位置ずれを防止するようにしてもよい。このような構成が有効に用いられる場合としては、例えば、土留めを行う場所の地面７ｄが比較的固いか、もしくは、地面７ｄの適所に大きな石や岩などが存在していているような場合であって、埋設部３のアンカー部３０を地面７ｄ内に食い込ませることができないような場合が想定される。このような場合、第二アンカー部４１を打ち込むことのできる場所を探し、その場所に補助筋４を取り付けて第二アンカー部４１を打ち込むようにすればよい。このようにすれば、大きな石や岩が多数存在しているような場所であっても、擁壁１を固定することができるようになる。
【００４３】
更に、上記実施の形態では、メッシュ部材５を用いて土砂７ｕを保持するようにしているが、例えば、比較的大きい石や岩などを留めて法面を形成する場合であって、長状体２１の格子状の開口部２０でその石や岩などを留めることができる場合は、メッシュ部材５を取り付けないようにしてもよい。
【００４４】
加えて、上記実施の形態では、左右方向の長状体２１に補助筋４を掛止させるようにしているが、必ずしも、左右方向の長状体２１に掛止させる必要はなく、上下方向の長状体２１に補助筋４を掛止させるようにしてもよい。この場合、上端部分をリング状として、これを土留め部２の上下方向の長状体２１に通し込むような方法などが考えられる。
【００４５】
また、上記実施の形態では、棒状の補助筋４を用いているが、その形状に関しては、必ずしも棒状に限定されるものではなく、例えば、第二アンカー部４１のみを扁平にしたものや、全体を細い板状としたものなどを用いることもできる。また、長さの規定された補助筋４だけでなく、途中に長さ調節機構を有するような補助筋４を用いるようにしてもよい。
【図面の簡単な説明】
【００４６】
【図１】本発明の一実施の形態におけるＬ型擁壁の外観斜視図
【図２】同形態におけるＬ型擁壁の取り付け状態図
【図３】同形態における土留めを行った状態を示す図
【図４】他の実施の形態におけるＬ型擁壁の外観斜視図
【符号の説明】
【００４７】
１・・・擁壁
２・・・土留め部
３・・・埋設部
４・・・補助筋
５・・・メッシュ部材
６・・・結束線
７ｕ・・・土砂
７ｄ・・・地面
２０・・・開口部
２１、３１・・・長状体
３０・・・アンカー部
４０・・・フック部
４１・・・第二アンカー部
５０・・・開口部
【図１】
2006249730.tif 000003
【図２】
2006249730.tif 000004
【図３】
2006249730.tif 000005
【図４】
2006249730.tif 000006